(57)【特許請求の範囲】
【請求項１】
第１の長さを有する第１筒部と、該第１筒部の両端に設けられ長孔が夫々形成された一対の第１板部とを有する第１部材と、
前記第１の長さよりも長い第２の長さを有する第２筒部と、該第２筒部の両端に設けられ長孔が夫々形成された一対の第２板部とを有する第２部材と、
前記第２の長さよりも長い第３の長さを有する第３筒部と、該第３筒部の両端に設けられ複数の貫通孔が夫々形成された一対の第３板部とを有する第３部材と、
第１の方向に延伸する第１螺合棒部、該第１螺合棒部に螺合可能な第１螺合部、前記第１螺合棒部の軸方向に垂直な方向に延伸する第２螺合棒部、及び該第２螺合棒部に螺合可能な第２螺合部を有する連結部とを用いたトンネル状の建築物の製造方法であって、
２本の前記第１部材を等辺とし１本の前記第３部材を底辺とする複数の略二等辺三角形がアーチ状に連結されて形成される複数のアーチ部を所定の間隔をあけて奥行方向に並べて設置する第１の工程と、
前記奥行方向に隣接する前記アーチ部の頂点のうち対応する頂点同士を前記第１部材によって架設し、該架設された複数の前記第１部材と前記アーチ部の前記第１部材とを等辺とする略直角二等辺三角形の底辺に位置するように前記隣接する前記アーチ部の頂点同士を結ぶように第２部材を架設する第２の工程と、
前記複数のアーチ部を前記第１螺合棒部と前記第１螺合部とを用いて連結し、前記架設される前記第１部材及び前記第２部材を前記第２螺合棒部と前記第２螺合部とを用いて連結する第３の工程とを備えることを特徴とするトンネル状の建築物の製造方法。
【請求項２】
請求項１に記載のトンネル状の建築物の製造方法において、
前記一対の第３板部は、軸方向に沿って所定の間隔をおいて形成される３つの孔部が形成された一方側板部と、前記軸方向に沿って所定の間隔をおいて形成される４つの孔部が形成された他方側板部とを有することを特徴とするトンネル状の建築物の製造方法。
【請求項３】
請求項１または請求項２に記載のトンネル状の建築物の製造方法において、
前記第１板部は、前記第１筒部の直径に沿うように前記第１筒部の断面の中央部に形成されており、
前記第２板部は、前記第２筒部の直径に沿うように前記第２筒部の断面の中央部に形成されており、
前記第３板部は、前記第３筒部の接線に沿うように前記第３筒部の断面の外周部に形成されていることを特徴とするトンネル状の建築物の製造方法。
【発明の詳細な説明】
【技術分野】
【０００１】
本発明は、トンネル状の建築物の製造方法に関する。
【背景技術】
【０００２】
近年、遊園地や観光地など様々な場所で発光ダイオード、電球、光ケーブルなどを用いたイルミネーションが期間限定で設置されている。本発明に関連する技術として、例えば、特許文献１には、フラット、切妻、寄棟形状等の既存屋根をドーム型屋根にリフォームするためのドーム型屋根へのリフォーム方法であって、既存屋根に構成されたトラス躯体上にドーム型アタッチメントを増設し、ドーム型屋根を構築するドーム型屋根へのリフォーム方法が開示されている。
【先行技術文献】
【特許文献】
【０００３】
【特許文献１】特開２００５−３４４３９３号公報
【発明の概要】
【発明が解決しようとする課題】
【０００４】
イルミネーションの造形物の骨組など鉄やステンレスなどの金属パイプを組み立てて構成するが、予め設計された造形物を構成するようにパーツの形状などが決められている為、造形物の形を自由に変えることができないという課題がある。
【０００５】
本発明の目的は、トンネル状の建築物の形を自由自在に変えることを可能とするトンネル状の建築物の製造方法を提供することである。
【課題を解決するための手段】
【０００６】
本発明に係るトンネル状の建築物の製造方法は、第１の長さを有する第１筒部と、該第１筒部の両端に設けられ長孔が夫々形成された一対の第１板部とを有する第１部材と、前記第１の長さよりも長い第２の長さを有する第２筒部と、該第２筒部の両端に設けられ長孔が夫々形成された一対の第２板部とを有する第２部材と、前記第２の長さよりも長い第３の長さを有する第３筒部と、該第３筒部の両端に設けられ複数の貫通孔が夫々形成された一対の第３板部とを有する第３部材と、第１の方向に延伸する第１螺合棒部、該第１螺合棒部に螺合可能な第１螺合部、前記第１螺合棒部の軸方向に垂直な方向に延伸する第２螺合棒部、及び該第２螺合棒部に螺合可能な第２螺合部を有する連結部とを用いたトンネル状の建築物の製造方法であって、２本の前記第１部材を等辺とし１本の前記第３部材を底辺とする複数の略二等辺三角形がアーチ状に連結されて形成される複数のアーチ部を所定の間隔をあけて奥行方向に並べて設置する第１の工程と、前記奥行方向に隣接する前記アーチ部の頂点のうち対応する頂点同士を前記第１部材によって架設し、該架設された複数の前記第１部材と前記アーチ部の前記第１部材とを等辺とする略直角二等辺三角形の底辺に位置するように前記隣接する前記アーチ部の頂点同士を結ぶように第２部材を架設する第２の工程と、前記複数のアーチ部を前記第１螺合棒部と前記第１螺合部とを用いて連結し、前記架設される前記第１部材及び前記第２部材を前記第２螺合棒部と前記第２螺合部とを用いて連結する第３の工程とを備えることを特徴とする。
【０００７】
また、本発明に係るトンネル状の建築物の製造方法において、前記一対の第３板部は、軸方向に沿って所定の間隔をおいて形成される３つの孔部が形成された一方側板部と、前記軸方向に沿って所定の間隔をおいて形成される４つの孔部が形成された他方側板部とを有することが好ましい。
【０００８】
また、本発明に係るトンネル状の建築物の製造方法において、前記第１板部は、前記第１筒部の直径に沿うように前記第１筒部の断面の中央部に形成されており、前記第２板部は、前記第２筒部の直径に沿うように前記第２筒部の断面の中央部に形成されており、前記第３板部は、前記第３筒部の接線に沿うように前記第３筒部の断面の外周部に形成されていることが好ましい。
【発明の効果】
【０００９】
本発明によれば、トンネル状の建築物の形を自由自在に変えることが出来る。
【図面の簡単な説明】
【００１０】
【図１】本発明に係る実施形態のトンネル状の建築物の製造方法において用いる第１部材、第２部材、第３部材及び連結部を示す図である。
【図２】本発明に係る実施形態のトンネル状の建築物の製造方法により製造されたトンネル状の建築物の正面図である。
【図３】本発明に係る実施形態のトンネル状の建築物の製造方法により製造されたトンネル状の建築物の平面図である。
【図４】本発明に係る実施形態において、第１部材と第３部材とを用いて頂角を変えた二等辺三角形を作る様子を示す図である。
【発明を実施するための形態】
【００１１】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１２】
図１は、本発明に係る実施形態のトンネル状の建築物の製造方法において用いる第１部材１２、第２部材１４、第３部材１６及び連結部１８を示す図である。図２は、本発明に係る実施形態のトンネル状の建築物の製造方法により製造されたトンネル状の建築物の正面図である。
【００１３】
図３は、本発明に係る実施形態のトンネル状の建築物の製造方法により製造されたトンネル状の建築物の平面図である。図４は、第１部材１２と第３部材１６とを用いて頂角を変えた二等辺三角形１３を作る様子を示す図である。
【００１４】
第１部材１２は、第１の長さを有する第１筒部１２ａと、第１筒部１２の両端に設けられ長孔１２ｃが夫々形成された一対の第１板部１２ｂとを有する。第１筒部１２ａは、所定の直径を有する筒であり、例えば、直径２．５ｃｍで、長さが１４３ｃｍに設定することが出来る。
【００１５】
一対の第１板部１２ｂは、厚みが２ｍｍで幅が３ｃｍで長さが７．５ｃｍに設定することが出来る。第１筒部１２ａ及び第１板部１２ｂは、軽量でかつ、適度な強度を有する材質、例えば、スチールやアルミニウムなどで構成することが好ましい。また、第１板部１２ａには、幅が１．５ｃｍで長さが３ｃｍの長孔１２ｃが形成されている。
【００１６】
第１板部１２ｂは、図１（ａ）の下図に示されるように、第１筒部１２ａの直径に沿うように第１筒部１２ａの断面の中央部に形成されている。
【００１７】
第２部材１４は、第１の長さよりも長い第２の長さを有する第２筒部１４ａと、第２筒部１４ａの両端に設けられ長孔１４ｃが夫々形成された一対の第２板部１４ｂとを有する。第２筒部１４ａは、所定の直径を有する筒であり、例えば、直径２．５ｃｍで、長さが２０４．５ｃｍに設定することが出来る。
【００１８】
一対の第２板部１４ｂは、厚みが２ｍｍで幅が３ｃｍで長さが１０ｃｍに設定することが出来る。第２筒部１４ａ及び第２板部１４ｂは、軽量でかつ、適度な強度を有する材質、例えば、スチールやアルミニウムなどで構成することが好ましい。また、第２板部１４ａには、幅が１．５ｃｍで長さが５ｃｍの長孔１４ｃが形成されている。
【００１９】
第２板部１４ｂは、図１（ｂ）の下図に示されるように、第２筒部１４ａの直径に沿うように第２筒部１４ａの断面の中央部に形成されている。
【００２０】
第３部材１６は、第２の長さよりも長い第３の長さを有する第３筒部１６ａと、第３筒部１６ａの両端に設けられ複数の貫通孔１６ｃ，１６ｄが夫々形成された一対の第３板部１６ｂとを有する。第３筒部１６ａは、所定の直径を有する筒であり、例えば、直径２．５ｃｍで、長さが２７０ｃｍに設定することが出来る。
【００２１】
一対の第３板部１６ｂは、厚みが２ｍｍで幅が３ｃｍで長さが１５ｃｍに設定することが出来る。第３筒部１６ａ及び第３板部１６ｂは、軽量でかつ、適度な強度を有する材質、例えば、スチールやアルミニウムなどで構成することが好ましい。
【００２２】
また、一対の第３板部１６ｂには、軸方向に沿って所定の間隔をおいて形成される３つの貫通孔１６ｃが形成された一方側板部と、軸方向に沿って所定の間隔をおいて形成される４つの貫通孔１６ｄが形成された他方側板部とを有する。３つの貫通孔１６ｃと４つの貫通孔１６ｄは、直径１．５ｃｍの貫通孔である。
【００２３】
第３板部１６ｂは、図１（ｃ）に示されるように、第３筒部１６ａの接線に沿うように第３筒部１６ａの断面の外周部に形成されている。
【００２４】
連結部１８は、第１の方向に延伸する第１螺合棒部１８ａ、第１螺合棒部１８ａに螺合可能な第１螺合部１８ｂ、第１螺合棒部１８ａの軸方向に垂直な方向に延伸する第２螺合棒部１８ｃ、及び第２螺合棒部１８ｃに螺合可能な第２螺合部１８ｄを有する。連結部１８は、軽量でかつ、適度な強度を有する材質、例えば、スチールやアルミニウムなどで構成することが好ましい。
【００２５】
第１螺合棒部１８ａは、所定の長さを有する螺合溝が形成されたボルト部であり、第１螺合部１８ｂは、第１螺合棒部１８ａの螺合溝に螺合可能なナット部である。
【００２６】
第２螺合棒部１８ｃは、第１螺合棒部１８ａを挿通可能な貫通孔を有するリング部と該リング部から所定の長さを有するように延伸する螺合溝が形成されたボルト部であり、第２螺合部１８ｄは、第２螺合棒部１８ｃの螺合溝に螺合可能なナット部である。
【００２７】
続いて、本発明に係る実施形態のトンネル状の建築物の製造方法について説明する。図２に示されるように、正面側からトンネル状の建築物を見た場合には、アーチ状のゲートであるアーチ部１５が形成されている。
【００２８】
ここで、アーチ状のゲートであるアーチ部１５は、２本の第１部材１２を等辺とし１本の第３部材１６を底辺とする複数の略二等辺三角形がアーチ状に連結されて形成されている。このように形成されたアーチ部１５が図３に示されるように奥行方向に所定の間隔を置いて配置される。
【００２９】
なお、ここでは、簡略化のため、３つのアーチ部１５が配置されているものとして説明するが、トンネルの奥行を長くするために３つ以上のアーチ部１５を配置することが出来る。
【００３０】
そして、奥行方向に並べられたアーチ部１５において隣接するアーチ部１５の頂点のうち対応する頂点同士を第１部材１２によって架設する。図３は、トンネル状の建築物の上面側から見た様子を示す図であり、架設された複数の第１部材１２とアーチ状のゲートであるアーチ部１５の第１部材１２とを等辺とする略直角二等辺三角形１７の底辺に位置するように隣接するアーチ部１５の頂点同士を結ぶように第２部材１４を架設する。
【００３１】
上記のようにアーチ部１５を奥行方向に並べて結合する必要がある。図２の拡大図（点線部分を側面側（矢印Ａ方向）から見た拡大図）に示すように、複数のアーチ部１５を第１螺合棒部１８ａと第１螺合部１８ｂとを用いて連結し、図２，３に示されるように、架設される第１部材１２及び第２部材１４を第２螺合棒部１８ｃと第２螺合部１８ｄとを用いて連結する。
【００３２】
このように連結されて形成されたトンネル状の建築物は、例えば、イルミネーションなどの装飾物を取り付けるのに活用してもよく、ビニールハウスなどに利用してもよい。
【００３３】
また、アーチ部１５は、２本の第１部材１２を等辺とし１本の第３部材１６を底辺とする複数の略二等辺三角形１３を連結して結合されているが、底辺の長さを変えることで、２本の第１部材１２により形成される頂角を変更することが出来る。
【００３４】
例えば、図４には、頂角θ１の二等辺三角形と、頂角θ１よりも角度が大きい頂角θ２の二等辺三角形が描かれている。この２つの二等辺三角形は、底辺の長さが異なるが、この長さの変化は、３つの貫通孔１６ｃと４つの貫通孔１６ｄの中の連結する孔の組み合わせを変えることにより、長さを調整することが出来る。なお、３つの貫通孔１６ｃのそれぞれの間隔を３ｃｍとし、４つの貫通孔１６ｄのそれぞれの間隔を４ｃｍとすることで、３つの貫通孔１６ｃと４つの貫通孔１６ｄの組み合わせを用いることで、１ｃｍずつ底辺の長さを変化させることが出来る。
【００３５】
このように二等辺三角形の頂角や底辺の長さを変えることにより、様々な形状のアーチ状のゲートを形成することができる。したがって、本発明に係る実施形態のトンネル状の建築物の製造方法によれば、例えば、期間限定のイルミネーションなどでは、様々な大きさや形を有する建築物を自由自在に、かつ、簡単に作成することが出来るという顕著な効果を奏する。
【００３６】
上記のように、本発明に係る実施形態のトンネル状の建築物の製造方法によれば、第１部材１２、第２部材１４、第３部材１６、連結部１８の少ない部材で様々な大きさと形状の建築物を簡単に作ることができるため、管理もしやすく、持ち運びも便利である。
果を奏する。
【００３７】
なお、上記のように、略直角二等辺三角形１７は、第１部材１２と第２部材１４とを用いて構成するため、第１部材１２の長さを１とした場合に第２部材１４の長さが√２になるように設定することが好ましい。
【００３８】
また、略直角二等辺三角形１３は、第１部材１２と第３部材１６を用いて構成するため、頂角に応じて第３部材１６の貫通孔１６ｃ，１６ｄの使用する位置を変えて長さを調整できるように、第１部材１２と第３部材１６の長さを設定しておくことが好ましい。
【符号の説明】
【００３９】
１２  第１部材、１２ａ  第１筒部、１２ｂ  第１板部、１２ｃ  長孔、１３  二等辺三角形、１４  第２部材、１４ａ  第２筒部、１４ｂ  第２板部、１４ｃ  長孔、１５  アーチ部、１６  第３部材、１６ａ  第３筒部、１６ｂ  第３板部、１６ｃ，１６ｄ  貫通孔、１７  略直角二等辺三角形、１８  連結部、１８  連結部、１８ａ  第１螺合棒部、１８ｂ  第１螺合部、１８ｃ  第２螺合棒部、１８ｄ  第２螺合部。
【要約】
【課題】トンネル状の建築物の形を自由自在に変えることを可能とするトンネル状の建築物の製造方法を提供することである。
【解決手段】トンネル状の建築物の製造方法は、２本の第１部材を等辺とし１本の第３部材を底辺とする複数の略二等辺三角形がアーチ状に連結されて形成される複数のアーチ部を所定の間隔をあけて奥行方向に並べて設置する第１の工程と、奥行方向に隣接するアーチ部の頂点のうち対応する頂点同士を第１部材によって架設し、架設された複数の第１部材とアーチ部の第１部材とを等辺とする略直角二等辺三角形の底辺に位置するように隣接するアーチ部の頂点同士を結ぶように第２部材を架設する第２の工程と、複数のアーチ部を第１螺合棒部と第１螺合部とを用いて連結し、架設される第１部材及び第２部材を第２螺合棒部と第２螺合部とを用いて連結する第３の工程とを備える。
【選択図】図１【図１】
0006614739.tif 000002
【図２】
0006614739.tif 000003
【図３】
0006614739.tif 000004
【図４】
0006614739.tif 000005